(57)【要約】【課題】  録画中の映像音声データをスムーズに再生する。【解決手段】  データ記録再生装置は、映像音声データを受信するステップ（Ｓ５０２）と、Ａ／Ｄ変換してデジタルデータを生成するステップ（Ｓ５０４）と、デジタルデータをＳＤＲＡＭに転送するステップ（Ｓ５０６）と、ＳＤＲＡＭのデータを読み出してＭＰＥＧエンコーダにて圧縮するステップ（Ｓ５０８）と、圧縮データをハードディスク装置に転送するステップ（Ｓ５１０）と、圧縮データの転送量をメモリに記録するステップ（Ｓ５１２）と、再生時のデータ量の１．５倍程度のデータを書き込んだと判断した場合に（Ｓ５１４にてＹＥＳ）、再生処理を実行するステップ（Ｓ６００）とを含む。【選択図】        図５
2006014185.tif 000002
【特許請求の範囲】
【請求項１】
映像音声データを受信するための受信手段と、
アナログデータをデジタルデータに変換するためのデジタル変換手段と、
前記デジタルデータを一時的に保存するための一時記憶手段と、
前記一時記憶手段に一時的に保存されている前記デジタルデータを読み出して、圧縮するための圧縮処理手段と、
デジタルデータを逐次記録する一時記録領域と、利用者による録画の指示に基づいてデジタルデータを記録する保存領域とを有し、圧縮された前記デジタルデータを保存するための記録手段と、
前記記録手段にランダムにアクセスして、前記デジタルデータの書き込みと読み出しとを実行するための記録再生手段と、
予め定められた時間に読み出されるデータ量に対して予め定められた比率を上回るデータ量の前記デジタルデータを前記保存領域に書き込むように、前記記録再生手段を制御するための記録制御手段と、
前記利用者による再生の指示に基づいて前記保存領域から前記デジタルデータを読み出し、予め定められた時間、読み出した前記デジタルデータを前記一時記憶手段に転送するように、前記記録再生手段を制御するための再生制御手段と、
前記一時記憶手段に格納された前記デジタルデータを読み出して伸張するための伸張処理手段と、
伸張された前記デジタルデータをアナログデータに変換するためのアナログ変換手段と、
前記アナログデータを出力するための出力手段とを含む、データ記録再生装置。
【請求項２】
デジタルデータを取得するためのデジタルデータ取得手段と、
前記デジタルデータを一時的に保存するための一時記憶手段と、
前記一時記憶手段に一時的に保存されている前記デジタルデータを読み出して、圧縮するための圧縮処理手段と、
デジタルデータを逐次記録する一時記録領域と、利用者による録画の指示に基づいてデジタルデータを記録する保存領域とを有し、圧縮された前記デジタルデータを保存するための記録手段と、
前記記録手段にランダムにアクセスして、前記デジタルデータの書き込みと読み出しとを実行するための記録再生手段と、
予め定められた時間に読み出されるデータ量を予め定められた比率を上回るデータ量の前記デジタルデータを前記保存領域に書き込むように、前記記録再生手段を制御するための記録制御手段と、
前記利用者による再生の指示に基づいて前記保存領域から前記デジタルデータを読み出し、予め定められた時間、読み出した前記デジタルデータを前記一時記憶手段に転送するように、前記記録再生手段を制御するための再生制御手段と、
前記一時記憶手段に格納された前記デジタルデータを読み出して伸張するための伸張処理手段と、
伸張された前記デジタルデータを出力するための出力手段とを含む、データ記録再生装置。
【請求項３】
前記記録制御手段は、前記記録再生手段に、予め定められた時間に読み出されるデータ量の約１．５倍を上回るデータ量の前記デジタルデータを前記保存領域に書き込ませる、請求項２に記載のデータ記録再生装置。
【請求項４】
前記再生制御手段は、前記記録再生手段に、読み出した前記デジタルデータを前記一時記憶手段に、約１秒間転送させる、請求項２に記載のデータ記録再生装置。
【請求項５】
前記デジタルデータ取得手段は、
映像音声データを受信するための受信手段と、
受信された前記映像音声データから前記デジタルデータを生成するための生成手段とを含む、請求項２〜４のいずれかに記載のデータ記録再生装置。
【請求項６】
前記映像音声データは、アナログデータであり、
前記生成手段は、前記映像音声データをデジタルデータに変換する、請求項５に記載のデータ記録再生装置。
【請求項７】
前記データ記録再生装置はさらに、
デジタルデータをアナログデータに変換するためのアナログ変換手段と、
前記アナログデータを出力するためのアナログデータ出力手段とを含み、
前記出力手段は、前記伸張処理手段により伸張された前記デジタルデータを前記アナログ変換手段に出力する、請求項２〜６のいずれかに記載のデータ記録再生装置。
【発明の詳細な説明】
【技術分野】
【０００１】
本発明はデータ記録再生装置に関し、特に、録画中に録画済データの再生が可能なデータ記録再生装置に関する。
【背景技術】
【０００２】
近年、アナログ式のデータ記録再生装置に代えて、デジタル式のデータ記録再生装置が普及してきている。このデジタル式のデータ記録再生装置は、ランダムなアクセスが可能なデータを記録する装置を備える。そのため、ＶＴＲ（Video Tape Recorder）その他のアナログ式のデータ記録再生装置の機能に加えて、たとえばテレビ番組の録画中に録画済のデータを再生する機能を実現することができる。
【０００３】
たとえば、特開平１０−３２２６６２号公報（特許文献１）は、単一の記録再生ヘッドを用いて、動画像データまたは音声データ等のデジタル連続データの記録中に、既に記録されたデジタルデータを再生することができるディスク装置を開示する。このディスク装置は、デジタル連続データを一時的に保存するための記録用バッファメモリと、ディスク状記録媒体から再生されるデジタル連続データを一時的に蓄えるための再生用バッファメモリと、データの保存と再生とを交互に制御するための制御手段とを含む。制御手段は、記録用バッファメモリに蓄えられたデジタル連続データを入力されるデータの平均ビットレートの２倍以上の記録速度で読み出して、ディスク状記録媒体の記録領域に記録する。また、再生時には、制御手段は、再生領域に記録されているデジタル連続データを平均ビットレートの２倍以上の再生速度で再生して、再生用バッファメモリに書き込む。制御手段は、記録再生ヘッドが記録領域と再生領域との間をアクセスしている間、再生用バッファメモリに保存されたデジタル連続データを所定のビットレートで読み出して、表示装置に出力する。
【０００４】
特許文献１に開示されたディスク装置によると、記録媒体の記録再生速度は、記録時のビットレートおよび再生時のビットレートに、記録再生ヘッドのアクセス時間を加えたビットレートよりも速くされる。また、デジタル連続データは、再生用バッファメモリに一時的に保存されるため、データの再生を連続的に行なうことができる。
【特許文献１】特開平１０−３２２６６２号公報
【発明の開示】
【発明が解決しようとする課題】
【０００５】
しかしながら、たとえば、特許文献１に開示されたディスク装置のように、映像音声データの録画中に、録画済のデータを読み出して再生する機能を有するデータ記録再生装置によると、再生の対象となる領域によっては、単一の記録再生ヘッドの録画位置と、再生位置とが接近する場合が生じる。この場合、映像音声の再生ができなくなるという問題があった。
【０００６】
また、データ記録再生装置が備える機能が多くなるにつれて、その装置の制御回路が制御の対象とする処理も増加する。この場合、制御のタイミングなどによっては、記録再生ヘッドの動作の制御が不十分になる場合があり、そのために、映像音声の再生が途切れたりする場合があった。
【０００７】
本発明は、上述の問題点を解決するためになされたものであって、その目的は、映像音声データの記録中に、記録済みのデータをスムーズに再生することができるデータ記録再生装置を提供することである。
【課題を解決するための手段】
【０００８】
上記の課題を解決するために、この発明のある局面に従うと、データ記録再生装置は、映像音声データを受信するための受信手段と、アナログデータをデジタルデータに変換するためのデジタル変換手段と、デジタルデータを一時的に保存するための一時記憶手段と、一時記憶手段に一時的に保存されているデジタルデータを読み出して、圧縮するための圧縮処理手段と、デジタルデータを逐次記録する一時記録領域と、利用者による録画の指示に基づいてデジタルデータを記録する保存領域とを有し、圧縮されたデジタルデータを保存するための記録手段と、記録手段にランダムにアクセスして、デジタルデータの書き込みと読み出しとを実行するための記録再生手段と、予め定められた時間に読み出されるデータ量に対して予め定められた比率を上回るデータ量のデジタルデータを保存領域に書き込むように、記録再生手段を制御するための記録制御手段と、利用者による再生の指示に基づいて保存領域からデジタルデータを読み出し、予め定められた時間、読み出したデジタルデータを一時記憶手段に転送するように、記録再生手段を制御するための再生制御手段と、一時記憶手段に格納されたデジタルデータを読み出して伸張するための伸張処理手段と、伸張されたデジタルデータをアナログデータに変換するためのアナログ変換手段と、アナログデータを出力するための出力手段とを含む。
【０００９】
上記のデータ記録再生装置によると、受信された映像音声データは、デジタルデータに変換されて、一時記憶手段（たとえば、高速のデータの読み出しあるいは書き込みが可能なメモリ）に記憶される。圧縮処理手段は、一時記憶手段に一時的に保存されているデジタルデータを読み出して、圧縮する。記録制御手段は、記録再生手段に、予め定められた時間に読み出されるデータ量に対して予め定められた比率を上回るデータ量のデジタルデータを保存領域に書き込ませる。再生制御手段は、記録再生手段に、利用者による再生の指示に基づいて保存領域からデジタルデータを読み出し、予め定められた時間（たとえば数秒間）、読み出したデジタルデータを一時記憶手段に転送させる。伸張処理手段が一時記憶手段に格納されたデジタルデータを読み出して伸張すると、アナログ変換手段は、そのデータをアナログデータに変換する。このように、映像音声データの録画中に、録画したデータを再生した場合において、再生されるデータ量よりも多くのデータ量を録画することにより、再生用の映像音声データは、保存領域に記録される。また、伸張される前の圧縮データが読み出されて、再生用のデータとして一時記憶手段に蓄積されるため、記録再生手段が所定の再生動作を行なえない場合でも、一時記憶手段の圧縮データを伸張することができるため、映像音声データとして出力することができる。これにより、映像音声データの記録中に、記録済みのデータをスムーズに再生することができるデータ記録再生装置を提供することができる。
【００１０】
この発明の他の局面に従うと、データ記録再生装置は、デジタルデータを取得するためのデジタルデータ取得手段と、デジタルデータを一時的に保存するための一時記憶手段と、一時記憶手段に一時的に保存されているデジタルデータを読み出して、圧縮するための圧縮処理手段と、デジタルデータを逐次記録する一時記録領域と、利用者による録画の指示に基づいてデジタルデータを記録する保存領域とを有し、圧縮されたデジタルデータを保存するための記録手段と、記録手段にランダムにアクセスして、デジタルデータの書き込みと読み出しとを実行するための記録再生手段と、予め定められた時間に読み出されるデータ量を予め定められた比率を上回るデータ量のデジタルデータを保存領域に書き込むように、記録再生手段を制御するための記録制御手段と、利用者による再生の指示に基づいて保存領域からデジタルデータを読み出し、予め定められた時間、読み出したデジタルデータを一時記憶手段に転送するように、記録再生手段を制御するための再生制御手段と、一時記憶手段に格納されたデジタルデータを読み出して伸張するための伸張処理手段と、伸張されたデジタルデータを出力するための出力手段とを含む。
【００１１】
上記のデータ記録再生装置によると、デジタルデータが取得されると、そのデータは一時記憶手段に、一時的に保存される。圧縮処理手段は、そのデジタルデータを読み出して、圧縮する。記録制御手段は、記録再生手段に、予め定められた時間に読み出されるデータ量を予め定められた比率を上回るデータ量のデジタルデータを保存領域に書き込ませる。再生制御手段は、記録再生手段に、利用者による再生の指示に基づいて、保存領域からデジタルデータを読み出し、予め定められた時間、読み出したデジタルデータを一時記憶手段に転送させる。伸張処理手段が一時記憶手段に格納されたデジタルデータを読み出して伸張すると、出力手段は、伸張されたデータを出力することができる。このようにすると、映像音声データの録画中に、録画したデータを再生する場合には、再生されるデータ量よりも多くのデータ量が、録画データとして、再生用のデータ（たとえば、映像音声データ）は、保存領域に記録される。また、伸張される前の圧縮データが読み出されて、再生用のデータとして一時記憶手段に蓄積されるため、記録再生手段が所定の再生動作を行なえない場合でも、一時記憶手段の圧縮データが伸張され、出力される。これにより、データ記録再生装置は、映像音声データの記録中に、記録済みのデータをスムーズに再生することができる。
【００１２】
好ましくは、記録制御手段は、記録再生手段に、予め定められた時間に読み出されるデータ量の約１．５倍を上回るデータ量のデジタルデータを保存領域に書き込ませる。
【００１３】
上記のデータ記録再生装置によると、保存領域には、予め定められた時間に読み出されるデータ量の約１．５倍を上回るデータ量のデジタルデータが記録されるため、録画したデータの再生中に、データの再生ができなくなることを防止することができる。
【００１４】
好ましくは、再生制御手段は、記録再生手段に、読み出したデジタルデータを一時記憶手段に、約１秒間転送させる。
【００１５】
上記のデータ記録再生装置によると、一時記憶手段は、約１秒間のデータが逐次格納されるため、そのデータを伸張処理することにより、再生用のデータが出力される。このようにすると、記録再生手段の再生動作がスムーズに行なわれない場合でも、データの出力が中断されることを防止することができる。
【００１６】
好ましくは、デジタルデータ取得手段は、映像音声データを受信するための受信手段と、受信された映像音声データからデジタルデータを生成するための生成手段とを含む。
【００１７】
上記のデータ記録再生装置によると、受信された映像音声データ（たとえば、テレビ番組データ）を記録中に再生する場合において、映像音声の再生が中断されることを防止することができる。
【００１８】
好ましくは、映像音声データは、アナログデータである。生成手段は、映像音声データをデジタルデータに変換する。
【００１９】
上記のデータ記録再生装置によると、アナログの映像音声データを記録中に再生する場合において、映像音声の再生が中断されることを防止することができる。
【００２０】
好ましくは、データ記録再生装置はさらに、デジタルデータをアナログデータに変換するためのアナログ変換手段と、アナログデータを出力するためのアナログデータ出力手段とを含む。出力手段は、伸張処理手段により伸張されたデジタルデータをアナログ変換手段に出力する。
【００２１】
上記のデータ記録再生装置によると、アナログデータの接続端子を有する表示装置と接続して、データの再生が中断されることを防止することができる。
【発明の効果】
【００２２】
本発明に係るデータ記録再生装置によると、映像音声データの録画中であっても、録画済のデータをスムーズに再生することができる。
【発明を実施するための最良の形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
図１を参照して、本発明の実施の形態に係るデータ記録再生装置１００について説明する。図１は、データ記録再生装置１００の構成を表わすブロック図である。
【００２５】
このデータ記録再生装置１００は、メインシステム制御回路１１０と、ＯＳＤ（On Screen Display）画像生成回路１１４と、操作部１２２と、受光部１２４と、計時回路１２６と、表示部１２８と、チューナ１３０と、外部入力部１３２と、ハードディスク装置１４０と、ＭＰＥＧデコーダ１５４と、サブシステム制御回路１５０と、出力部１６８と、アンテナ１９０とを含む。ハードディスク装置１４０は、データ記録再生ヘッド１４２と、ハードディスク１４４とを含む。サブシステム制御回路１５０は、ＭＰＥＧ（Moving Picture Experts Group）エンコーダ１５２と、ＭＰＥＧデコーダ１５４と、ＳＤＲＡＭ（Synchronous Dynamic Random Memory）１５６とを含む。データ記録再生装置１００は、テレビ１８０その他の表示装置に接続される。
【００２６】
アンテナ１９０が受信したアナログのデータは、チューナ１３０により検知される。チューナ１３０は、検知したデータをＡ／Ｄ変換（Analog to Digital）して、デジタルデータとして出力する。
【００２７】
チューナ１３０から出力されるデジタルデータは、ＳＤＲＡＭ１５６に転送される。ＳＤＲＡＭ１５６は、入力データを一時的に格納する。このとき、所定の時間における入力データのデータ量は、出力されるデータ量を所定量だけ上回る。この入力データのデータ量は、たとえば、出力されるデータ量の１．５倍程度を上回るのが好ましい。なお、入力データは、後述するハードディスク装置１４０に記録されるデータ（たとえば、映像音声の録画データ）である。
【００２８】
ＳＤＲＡＭ１５６に格納されているデータは、ＭＰＥＧエンコーダ１５２に入力される。ＭＰＥＧエンコーダ１５２は、入力データに対して所定の符号化処理を実行し、圧縮し、そして出力する。このときの動作は、サブシステム制御回路１５０によって制御される。このときの制御構造については、後述する。
【００２９】
ＭＥＰＧエンコーダ１５２から出力されたデータは、録画用データとしてハードディスク装置１４０に入力される。ハードディスク装置１４０のデータ記録再生ヘッド１４２は、メインシステム制御回路１１０の制御に基づいて、ハードディスク１４４の所定の記録領域に入力データを書き込む。
【００３０】
ハードディスク装置１４０から読み出された圧縮データは、ＳＤＲＡＭ１５６に入力される。ＳＤＲＡＭ１５６は、そのデータを再生用データとして、圧縮データのまま一時的に格納する。
【００３１】
再生用データとしてＳＤＲＡＭ１５６に保存されているデータは、ＭＰＥＧデコーダ１５４に入力される。ＭＰＥＧデコーダ１５４は、予め定められた復号処理を実行して入力データを復号化する。
【００３２】
ＭＰＥＧデコーダ１５４から出力されたデータは、出力部１６８に入力される。出力部１６８は、ＭＰＥＧデコーダ１５４から出力されたデータと、後述するＯＳＤ画像生成回路１１４から出力されたデータとを合成して、表示データとして出力する。この出力データは、データ記録再生装置１００に接続されるテレビ１８０その他の表示装置に入力される。これにより、テレビ１８０は、データ記録再生装置１００が再生したデータに基づいて、映像を表示し、音声を出力することができる。
【００３３】
操作部１２２は、たとえばデータ記録再生装置１００の前面に設けられる操作パネルである。利用者は、データ記録再生装置１００に特定の動作を実行させるために、操作部１２２を介して所定の指示を入力することができる。操作部１２２は、その指示を検知して、その指示に応じたデータをメインシステム制御回路１１０に出力する。
【００３４】
受光部１２４は、たとえばデータ記録再生装置１００の前面に設けられるリモコン信号の受光部である。利用者がリモコン（図示しない）を操作すると、リモコンは、その操作に応じた信号を出力する。受光部１２４は、その信号を受信し、その信号に応じた指令をメインシステム制御回路１１０に出力する。
【００３５】
表示部１２８は、たとえばデータ記録再生装置１００の前面に設けられるインジケータその他のモニタである。表示部１２８は、メインシステム制御回路１１０から出力される信号に応じた情報を表示する。この情報には、たとえば受信チャネル、時刻、データ記録再生装置１００の動作モード（たとえば記録モード、録画モード）などが含まれる。なお、表示される情報は、これらに限られない。
【００３６】
外部入力部１３２は、たとえば、ライン入力端子であって、他の映像音声再生装置のデータを入力するためのものである。これにより、データ記録再生装置１００は、放送番組以外のデータを取り込んで、記録することができる。
【００３７】
上記のような構成を有するデータ記録再生装置１００は、たとえばＨＤＤレコーダであるが、これに限られない。すなわち、データ記録再生装置１００は、デジタルデータを記録することができるものであればよく、たとえばＨＤＤを備えるＰＣ（Personal Computer）その他のコンピュータであってもよい。この場合、コンピュータの処理は、その動作を制御するソフトウェアをＣＰＵ（Central Processing Unit）により実行させることによって、実現することができる。
【００３８】
このようなソフトウェアは、予めコンピュータのハードウェアに記憶されている場合もあれば、ＣＤ−ＲＯＭ（Compact Disk - Read Only Memory）その他の記録媒体に格納されて流通し、ディスク駆動装置によりその記録媒体から読み取られて、プログラムを格納するＨＤＤその他の記録装置に一旦格納される場合もある。そのソフトウェアは、その記録装置からＲＡＭ（Random Access Memory）その他の主記憶部に読み出されて、ＣＰＵにより実行される。このようなコンピュータの構成は、一般的なものである。したがって、本発明の最も本質的な部分は、ＨＤＤその他の記録装置、あるいはＣＤ−ＲＯＭその他の記録媒体に記録されたソフトウェアであるともいえる。
【００３９】
なお、このような構成を有するコンピュータの動作自体は周知である。したがって、ここでは、その動作についての詳細な説明は繰り返さない。
【００４０】
図２を参照して、本発明の実施の形態に係るデータ記録再生装置１００に記録されるデータについて説明する。図２は、ハードディスク装置１４０のハードディスク１４４におけるデータの記録領域の構成の一態様を表わす図である。
【００４１】
図２に示すように、ハードディスク１４４は、データを記憶するための領域として、システム管理領域Ｄ２００と、タイムシフト領域Ｄ２１０と、録画ファイル領域Ｄ２２０とを含む。
【００４２】
システム管理領域Ｄ２００には、データ記録再生装置１００の動作を制御するための制御データが格納される。この動作には、たとえば、タイムシフト領域Ｄ２１０の特定のタイムシフトデータファイルへの映像音声データの書き込みあるいは読み出し、予約録画等が含まれる。また、制御データは、タイムシフトデータファイルを識別する識別データ、特定のデータ記録領域へのデータ書き込みの可否を表わすフラグ、設定された予約録画のための録画開始および録画終了時刻、受信チャネル、録画モード等を含む。
【００４３】
タイムシフト領域Ｄ２１０には、データ記録再生装置１００に入力されるデータが一時的に記録される。この一時的な記録は、たとえば、データ記録再生装置１００の電源がＯＮになったときに開始される。
【００４４】
録画ファイル領域Ｄ２２０には、利用者により録画が指示されたデータが記録される。この領域に記録されるデータは、利用者による削除の指示がない限り保存される。
【００４５】
図３を参照して、本実施の形態に係るデータ記録再生装置１００が受信する映像音声データについて説明する。図３は、映像音声データの信号波形を表わす図である。
【００４６】
図３（Ａ）は、アナログ信号の波形を表わす。図３（Ａ）に示すように、アナログ信号の波形は、所定の周期に基づいて変動する。図３（Ｂ）は、アナログ信号の波形に対してサンプリングされたデジタル信号を表わす。図３（Ｂ）に示すように、デジタル信号は、離散的に送信される。したがって、データ記録再生装置１００は、この送信特性を利用して、後述する各処理を実行することができる。
【００４７】
図４を参照して、本実施の形態に係るデータ記録再生装置１００に記録されるデータについてさらに説明する。図４は、サブシステム制御回路１５０に含まれるＳＤＲＡＭ１５６における録画データと再生データとの格納の一態様を概念的に表わす図である。
【００４８】
図４（Ａ）において、ＳＤＲＡＭ１５６は、データを格納する領域として複数の記録領域Ｄ４００を有する。データ記録再生装置１００が所定の時間だけ記録済みのデータを再生する場合に、その再生に必要なデータ量が６つの記録領域Ｄ４１０に格納されているデータ量である場合、そのデータ量を上回る量を有する録画データがＳＤＲＡＭ１５６に格納される。この場合、たとえば、約１．５倍のデータ量、すなわち上記の例では、９つの記録領域Ｄ４００に相当する領域Ｄ４２０に格納されるデータ量が好ましい。
【００４９】
図４（Ｂ）は、データ記録再生装置１００が映像音声データを再生する場合には、ＳＤＲＡＭ１５６の所定の領域には、少なくとも１秒間の再生に必要なデータ量が格納されることを表わす。このデータは、ＭＰＥＧデコーダ１５４に転送される前のデータ、すなわち圧縮された状態にあるデータである。
【００５０】
図５を参照して、本発明の実施の形態に係るデータ記録再生装置１００の制御構造について説明する。図５は、データ記録再生装置１００が実行する録画処理の手順を表わすフローチャートである。この処理は、メインシステム制御回路１１０とサブシステム制御回路１５０とによって制御される。
【００５１】
ステップＳ５０２にて、データ記録再生装置１００は、アンテナ１９０から映像音声データを受信する。
【００５２】
ステップＳ５０４にて、メインシステム制御回路１１０は、チューナ１３０に所定のＡ／Ｄ変換を実行させて、受信データからデジタルデータを生成させる。
【００５３】
ステップＳ５０６にて、サブシステム制御回路１５０は、チューナ１３０から出力されたデジタルデータをＳＤＲＡＭ１５６に転送する。ＳＤＲＡＭ１５６は、このデータを一時的に格納する。
【００５４】
ステップＳ５０８にて、サブシステム制御回路１５０は、ＳＤＲＡＭ１５６に格納されているデータを読み出して、ＭＰＥＧエンコーダ１５２に、所定の圧縮処理を実行させる。この圧縮処理の態様は、特に限られない。
【００５５】
ステップＳ５１０にて、メインシステム制御回路１１０とサブシステム制御回路１５０とは、ＭＰＥＧエンコーダ１５２から出力される圧縮データをハードディスク装置１４０に転送する。ハードディスク装置１４０は、メインシステム制御回路１１０の制御に基づいて、入力データをハードディスク１４４の所定の記録領域に書き込む。
【００５６】
ステップＳ５１２にて、メインシステム制御回路１１０は、ハードディスク１４４への圧縮データの書き込み量をメモリ１１２に記録する。
【００５７】
ステップＳ５１４にて、メインシステム制御回路１１０は、メモリ１１２に記録した書き込み量に基づいて、再生時のデータ量の１．５倍程度のデータ量をハードディスク１４４に書き込んだか否かを判断する。メインシステム制御回路１１０が再生時のデータ量の１．５倍程度のデータ量をハードディスク１４４に書き込んだと判断すると（ステップＳ５１４にてＹＥＳ）、再生処理（Ｓ６００）を行った後、さらに終了の指示を検知すれば（Ｓ５１８）、処理は終了する。もしそうでないと（ステップＳ５１４にてＮＯ）、処理はステップＳ５１０に戻される。一方、ステップＳ５１８で終了が検知されなければ、処理はステップＳ５０２に戻る。
【００５８】
図６を参照して、本発明の実施の形態に係るデータ記録再生装置１００の制御構造について、さらに説明する。図６は、データ記録再生装置１００が実行する再生処理の手順を表わすフローチャートである。この処理は、たとえば利用者が録画済みのデータを再生する指示を入力した場合に実行される。
【００５９】
ステップＳ６０２にて、メインシステム制御回路１１０は、利用者が入力した再生の指示に基づいて、ハードディスク装置１４０から圧縮データを読み出す。
【００６０】
ステップＳ６０４にて、メインシステム制御回路１１０は、読み出したデータをＳＤＲＡＭ１５６に転送する。この場合、データは、ＭＰＥＧデコーダ１５４に入力される前に、ＳＤＲＡＭ１５６に転送されるため、ＳＤＲＡＭ１５６に格納されるデータは、圧縮された状態にあるデータである。
【００６１】
ステップＳ６０６にて、メインシステム制御回路１１０は、ＳＤＲＡＭ１５６に転送したデータ量をメモリ１１２に記録する。
【００６２】
ステップＳ６０８にて、メインシステム制御回路１１０は、メモリ１１２に記録したデータに基づいて、１秒程度の再生が可能なデータ量を転送したか否かを判断する。メインシステム制御回路１１０がそのデータ量を転送したと判断した場合には（ステップＳ６０８にてＹＥＳ）、処理はステップＳ６１０に移される。そうでない場合には（ステップ６０８にてＮＯ）、処理はステップＳ６０２に戻され、ハードディスク装置１４０からのデータの読み出しが継続される。
【００６３】
ステップＳ６１０にて、サブシステム制御回路１５０は、ＳＤＲＡＭ１５６から圧縮データを読み出す。
【００６４】
ステップＳ６１２にて、サブシステム制御回路１５０は、読み出した圧縮データをＭＰＥＧデコーダ１５４に転送する。
【００６５】
ステップＳ６１４にて、サブシステム制御回路１５０は、ＭＰＥＧデコーダ１５４に所定の伸長処理を実行させる。これにより、圧縮データは伸張され、もとの映像音声データが復元される。
【００６６】
ステップＳ６１６にて、Ｄ／Ａ変換部１６０は、伸張されたデータをＤ／Ａ変換して、アナログデータを生成する。このとき、ＯＳＤ画像生成回路１１４が画像データを出力している場合には、Ｄ／Ａ変換部１６０は、伸張されたデータと画像データとを合成して、Ｄ／Ａ変換する。
【００６７】
ステップＳ６１８にて、出力部１６８は、生成されたアナログデータをテレビ１８０に出力する。
【００６８】
以上のような構造およびフローチャートに基づく、本発明の実施の形態に係るデータ記録再生装置１００の動作について説明する。
【００６９】
［録画動作］
利用者がデータ記録再生装置１００に対して録画の指示を入力すると、チューナ１３０によって受信された映像音声データはＡ／Ｄ変換され、デジタルデータが生成される（ステップＳ５０４）。デジタルデータは、圧縮されることなくＳＤＲＡＭ１５６に転送され（ステップＳ５０６）、一時的に格納される。ＳＤＲＡＭ１５６のデータは、ＭＰＥＧエンコーダ１５２によって圧縮され（ステップＳ５０８）、ハードディスク装置１４０に転送される（ステップＳ５１０）。メインシステム制御回路１１０は、圧縮データの転送量をメモリ１１２に記録しつつ（ステップＳ５１２）、ハードディスク装置１４０にその圧縮データを記録させる。再生時に必要とされるデータ量の約１．５倍程度のデータがハードディスク装置に記録されると（ステップＳ５１４）、再生処理が実行される（ステップＳ６００）。
【００７０】
［再生動作］
データ記録再生装置１００が録画済データを再生するモードであるとき、圧縮された状態である再生用のデータがハードディスク装置１４０から読み出され（ステップＳ６０２）、ＳＤＲＡＭ１５６に転送される（ステップＳ６０４）。メインシステム制御回路１１０がメモリ１１２に転送量を記録し（ステップＳ６０６）、その転送量に基づいて１秒程度の再生が可能なデータの転送が完了したと判断されると（ステップＳ６０８にてＹＥＳ）、ＳＤＲＡＭ１５６に格納されている圧縮データが読み出され（ステップＳ６１０）、ＭＥＰＧデコーダ１５４に転送される（ステップＳ６１２）。ＭＰＥＧデコーダ１５４が圧縮データを伸張すると（ステップＳ６１４）、そのデータはアナログデータに変換され（ステップＳ６１６）、出力部１６８を介してテレビ１８０に出力される（ステップＳ６１８）。なお、図５で利用者が再生の終了指示を入力するまで（ステップＳ５１８にてＮＯ）、データ記録再生装置１００は、再生動作を継続する。
【００７１】
以上のようにして、本発明の実施の形態にかかるデータ記録生成装置１００は、受信した映像音声データをハードディスク装置１４０に記録する前に、ＳＤＲＡＭ１５６に一時的に格納する。ＳＤＲＡＭ１５６はデータの高速の読み出しあるいは書き込みが可能である。したがって、データ記録再生装置１００は、ＳＤＲＡＭ１５６に格納されているデータを圧縮することにより、再生に必要なデータをハードディスク装置１４０に記録することができる。
【００７２】
すなわち、データ記録再生装置１００は、再生時に読み出されるデータ量よりも多くのデータを記録するため（たとえば、１．５倍程度のデータ量）、録画中の再生に必要以上のデータがハードディスク１４４に記録されることになる。したがって、再生のために読み出されるデータがなくなることはないため、データ記録再生装置１００は、安定してデータを再生することができる。
【００７３】
また、再生時には、ハードディスク装置１４０から読み出されたデータは、圧縮データのままＳＤＲＡＭ１５６に転送される。この場合、少なくとも再生動作の遅延が生じても、再生データの出力が停止しない程度のデータ量（たとえば、約１秒間再生可能なデータ量）が逐次格納される。ＭＰＥＧデコーダ１５４は、そのデータを伸張して復元する。このようにすると、データ記録再生装置１００が備える他の機能を実行するために再生動作に遅延が生じても、出力用のデータは少なくともＳＤＲＡＭ１５６に格納されているデータに基づいて再生用のデータ（復元されたデータ）が生成される。その結果、データ記録再生装置１００は、利用者にとっては、映像音声データを継続して出力していることになるため、映像音声の再生が中断することが防止される。
【００７４】
なお、上述の実施の形態においてメモリ１１２に記録された転送量が十分であるか否かの判断基準は、約１．５倍という値に限られるものではない。この値は、ＳＤＲＡＭ１５６その他の高速のデータの読み出しあるいは書き込みが可能なメモリ、あるいは、ハードディスク装置１４０の書き込みあるいは読み出し速度に応じて、変更してもよい。
【００７５】
また、安定した映像音声の再生のためにＳＤＲＡＭ１５６に一時的に格納される圧縮データのデータ量が再生を可能にする時間は、約１秒間に限られない。この時間は、メインシステム制御回路１１０あるいは、サブシステム制御回路１５０の処理速度あるいは制御性能に応じて、長くしたり短くしたりすることにより、調整可能である。このような調整により、ＳＤＲＡＭ１５６に一時的に格納される圧縮データのデータ量を最適にすることができるため、ＳＤＲＡＭ１５６の容量を不必要に大きくする必要がなくなる。
【００７６】
さらに、本実施の形態に係るデータ記録再生装置は、各部の動作を制御する回路として、メインシステム制御回路と、サブシステム制御回路とを含むが、制御回路の構成の態様はこれに限られない。たとえば、各制御回路に含まれる機能を全て含む制御回路を１つ含む構成であってもよい。この場合、部品点数が削減されることになり、データ記録再生装置の組立て効率を向上させることができる。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７８】
【図１】本発明の実施の形態に係るデータ記録再生装置の構成を表わすブロック図である。
【図２】図１に示したデータ記録再生装置が含むハードディスクにおけるデータの記録領域の構成を表わす図である。
【図３】図１に示したデータ記録再生装置が受信する信号を説明するための図である。
【図４】図１に示したデータ記録再生装置のＳＤＲＡＭにおけるデータの格納の一態様を説明するための図である。
【図５】本発明の実施の形態に係るデータ記録再生装置が実行する処理の手順を表わすフローチャート（その１）である。
【図６】本発明の実施の形態に係るデータ記録再生装置が実行する処理の手順を表わすフローチャート（その２）である。
【符号の説明】
【００７９】
１００  データ記録再生装置、１１０  メインシステム制御回路、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５０  サブシステム制御回路、１５２  ＭＰＥＧエンコーダ、１５４  ＭＰＥＧデコーダ、１５６  ＳＤＲＡＭ、１６０  Ｄ／Ａ変換部、１６８  出力部、１８０  テレビ、１９０  アンテナ。
【図１】
2006014185.tif 000003
【図２】
2006014185.tif 000004
【図３】
2006014185.tif 000005
【図４】
2006014185.tif 000006
【図５】
2006014185.tif 000007
【図６】
2006014185.tif 000008